(57)【要約】【課題】閉鎖弁取付板の作業性に優れ、閉鎖弁取付板の倒れを防止することができる空気調和機の室外機を提供すること。【解決手段】室外機の筐体の底部を形成する底板２と、室外機の筐体の前面を形成する前板５と、冷媒配管接続口に配設されている閉鎖弁を取り付ける閉鎖弁取付板１とを備え、前記底板と前記閉鎖弁取付板１の下部とを結合させ、前記閉鎖弁取付板１と前記前板５とを結合させた構成とし、前期閉鎖弁取付板１と前記底板２とがビス９ｂで螺着されるのみならず、前記閉鎖弁取付板１と前記前板５とがビス９ａで螺着されるので、閉鎖弁に配管をナットで取り付ける作業において、前記閉鎖弁取付板１が本体側に倒れるのを防止することができる。【選択図】図４
2007127312.tif 000002
【特許請求の範囲】
【請求項１】
室外機の筐体の底部を形成する底板と、室外機の筐体の前面を形成する前板と、冷媒配管接続口に配設されている閉鎖弁を取り付ける閉鎖弁取付板とを備え、前記底板と前記閉鎖弁取付板下部とを結合させ、前記閉鎖弁取付板と前記前板とを結合させたことを特徴とする空気調和機の室外機。
【請求項２】
閉鎖弁取付板の下端部より、前記閉鎖弁取付板と略垂直に延出している延伸片部を備えたことを特徴とする請求項１に記載の空気調和機の室外機。
【請求項３】
閉鎖弁取付板の閉鎖弁の取付部を囲むように凸面を備えたことを特徴とする請求項１および２に記載の空気調和機の室外機。
【発明の詳細な説明】
【技術分野】
【０００１】
本発明は空気調和機の室外機の構造に関するものである。
【背景技術】
【０００２】
室内機と室外機が分離した、分離型空気調和機の室外機において、設置時もしくはメンテナンス時に、室外機の中に充填されている冷媒が漏出しないように、前記室外機の配管接続口には、閉鎖弁を設け、室外機からの冷媒の漏出を防止している。そしてこのような閉鎖弁を取り付けるに当たり、室外機の外部に露出させる形で取り付けることができるように閉鎖弁取付板が設けられている。従来このような閉鎖弁取付板は、室外機の外枠を形成する底板に取り付けられている（例えば、特許文献１参照）。
【０００３】
図６は、特許文献１に記載された従来の閉鎖弁取付板１００と底板２００との接続部の拡大図である。図６に示すように、閉鎖弁取付板１００は、上下方向に延びる側部１００ａと、側部１００ａの下端から室外機の内方に突出する延伸片部１００ｂと、延伸片部１００ｂの先端側に略矩形状の係止爪４００とを備え、底板２００は、水平方向に延びる底部２００ａと、底部２００ａの縁部から立設される立上壁２００ｂと、突片３００とを備える。係止爪４００と突片３００とが係合し、閉塞弁取付板１００の立ち上がり状態を安定させている。
【０００４】
図７は、冷媒配管１１０を閉鎖弁１００に取り付ける取付斜視図である。図７において、従来ナット１２０を用いて冷媒配管１１０および閉鎖弁１００を接続する場合、ナット１２０を締める方向は、通常右ネジの回転方向である。なお、図７における矢印は、ナット１２０を締める方向である。
【特許文献１】特開２００２−５４８２３号公報
【発明の開示】
【発明が解決しようとする課題】
【０００５】
しかしながら、前記従来の構成では、ナット１２０を締める方向が右ネジの回転方向である場合には、閉鎖弁取付板１００を本体側に倒す方向の力に対しては倒れを防止することができないという課題を有していた。
【０００６】
本発明は、前記従来の課題を解決するもので、閉鎖弁取付板の作業性に優れ、閉鎖弁取付板の倒れを防止することができる空気調和機の室外機を提供するものである。
【課題を解決するための手段】
【０００７】
前記従来の課題を解決するために、本発明の空気調和機の室外機は、室外機の筐体の底部を形成する底板と、室外機の筐体の前面を形成する前板と、冷媒配管接続口に配設されている閉鎖弁を取り付ける閉鎖弁取付板とを備え、前記底板と前記閉鎖弁取付板下部とを結合させ、前記閉鎖弁取付板と前記前板とを結合させた構成としたものである。
【０００８】
これによって、前記閉鎖弁取付板と前記前板とがビスで螺着されるので、閉鎖弁に配管をナットで取り付ける作業において、閉鎖弁取付板が本体側に倒れるのを防止することができる。
【発明の効果】
【０００９】
本発明は、閉鎖弁取付板の作業性に優れ、閉鎖弁取付板の倒れを防止することができる空気調和機の室外機を提供するものである。
【発明を実施するための最良の形態】
【００１０】
第１の発明は、室外機の筐体の底部を形成する底板と、室外機の筐体の前面を形成する前板と、冷媒配管接続口に配設されている閉鎖弁を取り付ける閉鎖弁取付板とを備え、前記底板と前記閉鎖弁取付板下部とを結合させ、前記閉鎖弁取付板と前記前板とを結合させたことを特徴とする空気調和機の室外機であり、閉鎖弁に配管をナットで取り付ける作業において、ナットを締め付ける方向が右ネジの方向である場合は、底板と閉鎖弁取付板下部が結合しており、また閉鎖弁取付板と前板が結合しているため、右ネジの方向に加わる力を、それぞれの結合部で支えるために、閉鎖弁取付板が室外機の本体側に倒れることを防止することができる。
【００１１】
第２の発明は、特に第１の発明の空気調和機の室外機において、閉鎖弁取付板の下端部より、前記閉鎖弁取付板と略垂直に延出している延伸片部を備えたことを特徴とするものであり、閉鎖弁取付板の下部に延伸片部を備えたことによって、閉鎖弁取付板を本体側に倒そうとする力をさらに延伸片部で支え、室外機の本体側に倒れることを防止することができる。
【００１２】
第３の発明は、特に第１または第２の発明の空気調和機の室外機において、閉鎖弁取付板の閉鎖弁の取付部を囲むように凸面を備えたことを特徴とするものであり、凸面に囲まれた面に配設されている閉鎖弁と配管とをナットで取り付ける作業においては、凸面によって囲まれた面に、ねじれ方向の力が加わり、力が加わった面は変形を起こそうとするが、凸面があるために、凸面によって囲まれた面は変形しにくい形状になっているので、閉鎖弁取付板が変形するのを防止することができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における空気調和機の室外機１４の斜視図である。図１において、本実施の形態における空気調和機の室外機１４は、底部を底板２、前面部を前板５、右側面を右側板１５、左側面を左側板１６、天部を天板１８で構成する筐体を備えており、前記筐体内部には、冷凍サイクルを構成する圧縮機、室外熱交換器、ファン等（図示せず）が配設されている。
【００１５】
図２は、本発明の同形態における図１のＡ部拡大図である。図２に示すように、右側面には、筐体内部の冷凍サイクルを構成する機器と、室内機とを配管で接続する接続部であり、配管を接続していない時に、筐体内部の冷凍サイクルに貯留されている冷媒を漏出させないように閉鎖している閉鎖弁２０ａ、２０ｂと、閉鎖弁２０ａ、２０ｂを取り付ける閉鎖弁取付板１が配設されている。なお、実施の形態１においては右側面に閉鎖弁２０ａ、２０ｂを設けたが、これに限定するものではなく、左側面に閉鎖弁２０ａ、２０ｂを設けても問題はない。
【００１６】
また、閉鎖弁２０ｂが取り付けられる閉鎖弁取付面７は、凸面８によって囲まれた形状になっている。なお、実施の形態１においては、下側の閉鎖弁２０ｂのみが凸面８に囲まれた構成となっているが、両方の閉鎖弁２０ａ、２０ｂが凸面８に囲まれた構成となっていても構わない。ただし、通常閉鎖弁２０ａ、２０ｂと配管を接続する際にナット１２を締め付ける力は、閉鎖弁２０ａに比べて、閉鎖弁２０ｂの方が大きいため、閉鎖弁２０ｂのみを囲む方が好ましい。
【００１７】
図３は、本発明の同形態における図１のＡ部分解図であり、図４は図３の組み立て図で
ある。図４に示すように、前板５の側板５ａと閉鎖弁取付板１の上部とがビス９ａで螺着され、底板２と閉鎖弁取付板１の下部とがビス９ｂで螺着されている。なお、実施の形態１においては、それぞれビス９ａ、９ｂで螺着しているが、それぞれ結合させる互いの部品に係合孔、係合片を設けることによって係合させて結合してもよい。
【００１８】
また、閉鎖弁取付板１の側板１ａの下端部より、閉鎖弁取付板１と略垂直に延出している延伸片部１ｂを備えている。本実施の形態１には、側板１ａの下端部から延伸片部１ｂが延出した構成としたが、側板１ａの下端部だけではなく、閉鎖弁取付板１の下端部の全体から略垂直方向に延伸片部を延出させた構成にしてもよい。
【００１９】
図５は、本発明の同形態における要部断面図である。図５において、閉鎖弁２０ａ、２０ｂに配管１１を接続する場合には、ナット１２をスパナ１３で締め付けるが、その締め付ける方向は、右ネジの方向である。ナット１２を締め付ける方向を矢印で示す。
【００２０】
以上のように構成された空気調和機の室外機において、以下その動作、作用を説明する。
【００２１】
ナット１２をスパナ１３で右ネジを締め付ける方向に締めるときに、閉鎖弁取付板１には図５に示した矢印方向に力が掛かる。しかしながら、閉鎖弁取付板１と前板５とがビス９ａで螺着され、閉鎖弁取付板１の下部と底板２とがビス９ｂで螺着されているため、締め付け方向の力によって、閉鎖弁取付板１が本体側に倒れることを防止する。
【００２２】
また、閉鎖弁取付板１の側板１ａの下端部より、閉鎖弁取付板１と略垂直に延出している延伸片部１ｂを備えた構成にしたことで、さらに閉鎖弁取付板１が本体側に倒れることを防止することができる。
【００２３】
また、閉鎖弁２０ｂが取り付けられる閉鎖弁取付面７は、凸面８によって囲まれた形状になっているため、凸面８に囲まれた閉鎖弁取付面７に配設されている閉鎖弁２０ｂと配管１１とをナット１２で取り付ける作業においては、凸面８によって囲まれた閉鎖弁取付面７に、ねじれ方向の力が加わり、力が加わった閉鎖弁取付面７は変形を起こそうとするが、凸面８があるために、凸面８によって囲まれた閉鎖弁取付面７は変形しにくい形状になっているので、閉鎖弁取付板１が変形するのを防止することができる。
【００２４】
以上のように、本実施の形態１では、室外機１４の筐体の底部を形成する底板２と、室外機１４の筐体の前面を形成する前板５と、冷媒配管接続口に配設されている閉鎖弁２０ａ、２０ｂを取り付ける閉鎖弁取付板１とを備え、底板２と閉鎖弁取付板１の下部とを結合させ、閉鎖弁取付板１と前板５とを結合させたことで、閉鎖弁２０ａ、２０ｂに配管１１をナット１２で取り付ける作業において、ナット１２を締め付ける方向が右ネジの方向である場合は、底板２と閉鎖弁取付板１の下部が結合しており、また閉鎖弁取付板１と前板５が結合しているため、右ネジの方向に加わる力を、それぞれの結合部で支えるために、閉鎖弁取付板１が室外機１４の本体側に倒れることを防止することができる。
【００２５】
また、閉鎖弁取付板１の下端部より、閉鎖弁取付板１と略垂直に延出している延伸片部１ｂを備えたことで、閉鎖弁取付板１の下部に延伸片部１ｂを備えたことによって、閉鎖弁取付板１を本体側に倒そうとする力をさらに延伸片部１ｂで支え、室外機１４の本体側に倒れることを防止することができる。
【００２６】
また、閉鎖弁取付板１の閉鎖弁２０ｂの取付部を囲むように凸面８を備えたことを特徴とするものであり、凸面８に囲まれた閉鎖弁取付面７に配設されている閉鎖弁２０ｂと配管１１とをナット１２で取り付ける作業においては、閉鎖弁取付面７に、ねじれ方向の力
が加わり、力が加わった面は変形を起こそうとするが、凸面があるために、閉鎖弁取付面７は変形しにくい形状になっているので、閉鎖弁取付板１が変形するのを防止することができる。
【産業上の利用可能性】
【００２７】
以上のように、本発明にかかる空気調和機の室外機は、空気調和機だけに限らず、各種給湯機などの配管接続構造にも適用できる。
【図面の簡単な説明】
【００２８】
【図１】本発明の実施の形態１における空気調和機の室外機の斜視図
【図２】同空気調和機の室外機のＡ部拡大図
【図３】同空気調和機の室外機のＡ部分解図
【図４】同空気調和機の室外機のＡ部斜視図
【図５】同空気調和機の室外機の要部断面図
【図６】従来の空気調和機の室外機の要部分解図
【図７】従来の空気調和機の室外機の斜視図
【符号の説明】
【００２９】
１  閉鎖弁取付板
２  底板
５  前板
７  閉鎖弁取付面
８  凸面
９ａ  ビス
９ｂ  ビス
１１  配管
１２  ナット
１４  室外機
１５  右側板
１６  左側板
１８  天板
２０ａ  閉鎖弁
２０ｂ  閉鎖弁
【図１】
2007127312.tif 000003
【図２】
2007127312.tif 000004
【図３】
2007127312.tif 000005
【図４】
2007127312.tif 000006
【図５】
2007127312.tif 000007
【図６】
2007127312.tif 000008
【図７】
2007127312.tif 000009